(57)【特許請求の範囲】
【請求項１】
内部に円筒孔を形成した取付け枠と、
前記取付け枠の前記円筒孔にその周囲を配設し、かつ、その中心から放射状のスリットを入れてなる保持部と、
前記取付け枠を他の部材に取付ける取付け孔と
を具備し、全体を合成樹脂材料で形成してなることを特徴とする検査治具保持装置。
【請求項２】
成型品の被検査体を載置し、当該被検査体が特定の寸法範囲内にあることを計測する基準本体に当接する補助部と、
前記補助部と一体に形成され、かつ、内部に円筒孔を形成した取付け枠と、
前記取付け枠の前記円筒孔にその周囲を配設し、かつ、その中心から放射状のスリットを入れてなる保持部と、
前記取付け枠を前記基準本体に取付ける取付け孔と
を具備し、全体を合成樹脂材料で形成してなることを特徴とする検査治具保持装置。
【請求項３】
成型品の被検査体を載置し、当該被検査体が特定の寸法範囲内にあることを計測する基準本体に対して立設を補助する補助部と、
前記補助部と一体に形成され、かつ、内部に円筒孔を形成した取付け枠と、
前記取付け枠の前記円筒孔にその周囲を配設し、かつ、その中心から放射状のスリットを入れてなる保持部と、
前記取付け枠を前記基準本体に取付ける取付け孔と
を具備し、全体を合成樹脂材料で形成してなることを特徴とする検査治具保持装置。
【請求項４】
前記取付け孔は、前記補助部から突出させた突出部に形成したことを特徴とする請求項２に記載の検査治具保持装置。
【請求項５】
前記取付け孔は、前記取付け枠から突出させた突出部に形成したことを特徴とする請求項３に記載の検査治具保持装置。
【請求項６】
前記取付け孔は、前記補助部に形成したことを特徴とする請求項２に記載の検査治具保持装置。
【請求項７】
前記補助部には、マグネットを固着してなることを特徴とする請求項２、請求項４、請求項６の何れか１つに記載の検査治具保持装置。
【請求項８】
前記取付け孔は、前記取付け枠の前記取付け孔に対向する切り欠きからなる工具孔を形成したことを特徴とする請求項２、請求項４、請求項６、請求項７の何れか１つに記載の検査治具保持装置。
【請求項９】
前記取付け孔は、前記検査治具保持装置の前記取付け孔の軸方向または前記検査治具保持装置の前記取付け孔の軸に並列する方向に複数個接続自在としたことを特徴とする請求項１乃至請求項８の何れか１つに記載の検査治具保持装置。
【発明の詳細な説明】
【技術分野】
【０００１】
本発明は合成樹脂で成型した成型品の被検査体を基準本体に載置し、当該被検査体が特定の寸法範囲内にあることを計測する検査装置の治具を保持する検査治具保持装置に関するものである。
【背景技術】
【０００２】
この種の検査治具保持装置としては、格別、それに好適な装置というものが存在していない。現在使用されているのが、特許文献１（装置に刻印されている特許番号）の図１０に示す装置である。
図１４は従来の検査治具保持装置の全体の斜視図である。
この検査治具保持装置は、金属板の内部の弾性力で検査治具を保持するものである。
【０００３】
また、特許文献２の工具保持具は、基台の後端部に一対の相対する工具挟持用ア−ムを立設すると共に、基台の先端部両側壁に基台の両側壁を挟んで対向する一対のア−チ状枠と各ア−チ状枠の先端を一体的に連接した水平枠とで構成された調整枠の後端両側から内方に屈曲した各水平軸部を回動可能に枢着し、更に、基台の内部に磁石を埋設し、基台の先端部両側壁に調整枠の後端両側から内方に屈曲した各水平軸部を回動可能に枢着する枢支軸を突設し、これらの枢支軸端面に調整枠後端部を掛合する掛合溝を複数に設け、回動する調整枠の後端部をそれぞれの掛合溝に掛合して、調整枠を所定位置で係止するようにしている。
【０００４】
特許文献２の構成によって、例えば、半田鏝を工具挟持用ア−ムで挟持して、安全、かつ、確実に保持することができ、また、基台内に埋設した磁石の作用、調整枠の所定の位置での係止により、半田鏝を使用場所に応じた種々の姿勢で保持することができるものである。
【特許文献１】米国特許第１７１１７３０号
【特許文献２】特開平７−２８４９２２号公報
【発明の開示】
【発明が解決しようとする課題】
【０００５】
ところが、特許文献１は、金属板の内部の弾性力で検査治具を保持するものであるから、その弾性力以上の挿入圧が必要となり、また、その際の挿入離脱によって検査治具の表面に傷をつけるという問題があった。また、使用している間に検査治具を挟持する弾性力が低下し、検査治具を取付ける挿入圧が高くても、その長さ方向の押圧力が低いことから、基準本体を傾けると検査治具が落下したり、紛失したりする可能性が高かった。
また、特許文献２は半田鏝であるから、その長さ方向に摺動する可能性が低いものであり、単純な円柱形状の検査治具には利用できないものであった。
【０００６】
そこで、この発明はかかる不具合を解決するためになされたもので、検査治具の挿入離脱の際に、検査治具の表面に傷付けることなく、また、使用によって弾性力が低下し、その長さ方向に摺動することのない検査治具保持装置の提供を目的とするものである。
【課題を解決するための手段】
【０００７】
請求項１にかかる検査治具保持装置は、内部に円筒孔を形成した取付け枠にその周囲を配設し、その中心から放射状のスリットを入れてなる保持部と、前記補助部を前記基準本体に取付ける取付け孔とを具備し、全体を合成樹脂材料で形成してなるものである。
ここで、上記保持部はその中心からの放射状のスリットによって検査治具を、前記取付け枠の円筒孔の略中心に配置させるものである。
また、上記取付け孔は、前記基体を前記基準本体に取付けるもので、前記取付け枠または前記補助部に直接またはそれらから突出させた突出部に設けることができる。
なお、この検査治具保持装置は、全体を合成樹脂材料で形成したものである。
【０００８】
請求項２にかかる検査治具保持装置は、被検査体の基準となる基準本体を形成し、その基準本体に当接する補助部と、前記補助部と一体に形成し、内部に円筒孔を形成した取付け枠にその周囲を配設し、その中心から放射状のスリットを入れてなる保持部と、前記補助部を前記基準本体に取付ける取付け孔とを具備し、合成樹脂、金属板等で成型した成型品の被検査体を前記基準本体に載置し、被検査体の複数箇所が特定の寸法範囲内にあることを計測するものである。
ここで、上記補助部は成型品の被検査体を載置する基準本体に当接する部位であり、前記補助部に押圧力を加えて取付けを行うものである。
また、上記取付け枠は内部に円筒孔を形成し、検査治具を挿入された状態で覆うものであり、上記保持部はその中心からの放射状のスリットによって検査治具を、前記取付け枠の円筒孔の略中心に配置させるものである。
そして、上記取付け孔は、前記基体を前記基準本体に取付けるもので、前記取付け枠または前記補助部に直接またはそれらから突出させた突出部に設けることができる。
なお、この検査治具保持装置は、全体を合成樹脂材料で形成したものである。
【０００９】
請求項３にかかる検査治具保持装置は、被検査体の基準となる基準本体を形成し、その基準本体に対して立設を補助する補助部と、前記補助部と一体に形成し、内部に円筒孔を形成した取付け枠にその周囲を配設し、その中心から放射状のスリットを入れてなる保持部と、前記補助部を前記基準本体に取付ける取付け孔とを具備し、合成樹脂、金属板等で成型した成型品の被検査体を前記基準本体に載置し、被検査体の複数箇所が特定の寸法範囲内にあることを計測するものである。
ここで、上記補助部は成型品の被検査体を載置する基準本体に立設を補助する部位であり、前記補助部に押圧力を加えて取付けを行うものであり、前記補助部をガイドとして取付けを行うものである。
また、上記取付け枠は内部に円筒孔を形成し、検査治具を挿入された状態で覆うものであり、上記保持部はその中心からの放射状のスリットによって検査治具を、前記取付け枠の円筒孔の略中心に配置させるものである。
そして、上記取付け孔は、前記基体を前記基準本体に取付けるもので、前記取付け枠または前記補助部に直接またはそれらから突出させた突出部に設けることができる。
なお、この検査治具保持装置は、全体を合成樹脂材料で形成したものである。
【００１０】
請求項４にかかる検査治具保持装置の前記補助部を前記基準本体に取付ける取付け孔は、前記補助部から突出させた突出部に形成したものである。この突出部は、前記補助部を前記基準本体に取付ける取付け孔を設けるために形成したものであっても、前記補助部として他の機能部品として形成してもよい。
【００１１】
請求項５にかかる検査治具保持装置の前記補助部を前記基準本体に取付ける取付け孔は、前記取付け枠から突出させた突出部に形成したものである。この突出部は、前記補助部を前記基準本体に取付ける取付け孔を設けるために形成したものであっても、前記取付け枠として他の機能部品として形成してもよい。
【００１２】
請求項６にかかる検査治具保持装置の前記取付け枠を前記基準本体に取付ける取付け孔は、前記補助部に形成したものである。この取付け孔は前記補助部に直接形成したものである。
【００１３】
請求項７にかかる検査治具保持装置の前記基準本体に取付ける前記補助部には、マグネットを固着して吸引させる機能を付加したものである。ここで、マグネットの固着は、埋設してもよいし、その一部または全部を露出させ接合させてもよい。
【００１４】
請求項８にかかる検査治具保持装置の前記基準本体に取付ける前記補助部に形成した取付け孔は、前記取付け枠の前記取付け孔に対向する切り欠きからなる工具孔を形成したものである。
ここで、前記取付け枠の前記取付け孔に対向する切り欠きからなる工具孔は、前記補助部に形成した取付け孔にボルト等の螺入を行うときの操作用である。
【００１５】
請求項９にかかる検査治具保持装置の前記取付け枠から突出させた突出部に形成した取付け孔は、前記検査治具保持装置の前記取付け孔の軸方向または前記検査治具保持装置の前記取付け孔の軸に並列する方向に複数個接続自在とするものである。ここで、前記検査治具保持装置を縦方向または横方向に複数個接続自在とすることにより、検査治具を収容する長さを長くし、複数個連接配置するものである。
【発明の効果】
【００１６】
請求項１の検査治具保持装置は、内部に円筒孔を形成した取付け枠にその周囲を配設し、その中心から放射状のスリットを入れてなる保持部と、前記基体を前記基準本体に取付ける取付け孔とを具備し、合成樹脂、金属板等で成型した成型品の被検査体を載置し、被検査体の複数箇所が特定の寸法範囲内にあることを計測するものであり、検査治具保持装置の全体を合成樹脂で形成したものである。
取付け孔は、ボルト等の螺入によって取付け、位置決め安定性に寄与する。また、内部に円筒孔を形成してなる取付け枠には、その取付け枠の内側の周囲に中心から放射状のスリットを入れてなる保持部を有しているから、そこに検査治具を挿入すると、保持部の中心から放射状のスリットが検査治具の挿入によって彎曲し、その弾性力によって、検査治具を保持する。特に、前記保持部の中心から放射状に入れたスリットは、その幅が前記取付け枠に近づくに従って広くなるから弾性係数が大きくなる。したがって、検査治具の太さ、重さ（体積に比例）に応じた弾性力が付与される。このときの挿入圧は、検査治具の太さに応じた圧力となり、格別大きな押圧力は必要ない。また、前記保持部に前記検査治具が挿入離脱されても、合成樹脂で形成されているから検査治具の表面に傷をつけることがない。また、検査治具保持装置の使用によって前記保持部の弾性力が低下し、その長さ方向に検査治具が摺動することなく、接触抵抗で容易に落下することがない。
【００１７】
請求項２の検査治具保持装置は、成型品の被検査体の基準となる基準本体を形成し、その基準本体に当接する補助部と、前記補助部と一体に形成し、内部に円筒孔を形成した取付け枠にその周囲を配設し、その中心から放射状のスリットを入れてなる保持部と、前記基体を前記基準本体に取付ける取付け孔とを具備し、合成樹脂、金属板等で成型した成型品の被検査体を載置し、被検査体の複数箇所が特定の寸法範囲内にあることを計測するものであり、検査治具保持装置の全体を合成樹脂で形成したものである。
基準本体に取付ける取付け孔は、ボルト等の螺入によって基準本体に取付け、補助部は基準本体に当接し、位置決め安定性に寄与する。また、前記補助部と一体に成型した内部に円筒孔を形成してなる取付け枠には、その取付け枠の内側の周囲に中心から放射状のスリットを入れてなる保持部を有しているから、そこに検査治具を挿入すると、保持部の中心から放射状のスリットが検査治具の挿入によって彎曲し、その弾性力によって、検査治具を保持する。特に、前記保持部の中心から放射状に入れたスリットは、その幅が前記取付け枠に近づくに従って広くなるから弾性係数が大きくなる。したがって、検査治具の太さ、重さ（体積に比例）に応じた弾性力が付与される。このときの挿入圧は、検査治具の太さに応じた圧力となり、格別大きな押圧力は必要ない。また、前記保持部に前記検査治具が挿入離脱されても、合成樹脂で形成されているから検査治具の表面に傷をつけることがない。また、検査治具保持装置の使用によって前記保持部の弾性力が低下し、その長さ方向に検査治具が摺動することなく、接触抵抗で容易に落下することがない。
【００１８】
請求項３の検査治具保持装置は、成型品の被検査体の基準となる基準本体を形成し、その基準本体に立設を補助する補助部と、前記補助部と一体に形成し、内部に円筒孔を形成した取付け枠にその周囲を配設し、その中心から放射状のスリットを入れてなる保持部と、前記基体を前記基準本体に取付ける取付け孔とを具備し、合成樹脂、金属板等で成型した成型品の被検査体を載置し、被検査体の複数箇所が特定の寸法範囲内にあることを計測するものであり、検査治具保持装置の全体を合成樹脂で形成したものである。
基準本体に取付ける取付け孔は、ボルト等の螺入によって基準本体に取付け、補助部は基準本体に前記取付け枠を立設する安定性を良くする。また、前記補助部と一体に成型した内部に円筒孔を形成してなる取付け枠には、その取付け枠の内側の周囲に中心から放射状のスリットを入れてなる保持部を有しているから、そこに検査治具を挿入すると、保持部の中心から放射状のスリットが検査治具の挿入によって彎曲し、その弾性力によって、検査治具を保持する。特に、前記保持部の中心から放射状に入れたスリットは、その幅が前記取付け枠に近づくに従って広くなるから弾性係数が大きくなる。したがって、検査治具の太さ、重さ（体積に比例）に応じた弾性力が付与される。このときの挿入圧は、検査治具の太さに応じた圧力となり、格別大きな押圧力は必要ない。また、前記保持部に前記検査治具が挿入離脱されても、合成樹脂で形成されているから検査治具の表面に傷をつけることがない。また、検査治具保持装置の使用によって前記保持部の弾性力が低下し、その長さ方向に検査治具が摺動することなく、接触抵抗で容易に落下することがない。
【００１９】
請求項４の検査治具保持装置の前記取付け枠を前記基準本体に取付ける取付け孔は、前記取付け枠から突出させた突出部に形成したものであるから、請求項２に記載の効果に加えて、取付けの操作性を良くすることができる。
【００２０】
請求項５の検査治具保持装置の前記取付け枠を前記基準本体に取付ける取付け孔は、前記補助部から突出させた突出部に形成したものであるから、請求項３に記載の効果に加えて、取付けの操作性を良くすることができる。
【００２１】
請求項６の検査治具保持装置は、前記取付け枠を前記基準本体に取付ける取付け孔は、前記補助部に形成したものであるから、請求項２に記載の効果に加えて、全体の構造がシンプル化できる。
【００２２】
請求項７の検査治具保持装置の前記基準本体に取付ける前記補助部には、マグネットを固着してなるものであるから、請求項２、請求項４、請求項６の何れか１つに記載の効果に加えて、前記基準本体の一部に金属が使用されていても、その配設が容易となる。
【００２３】
請求項８の検査治具保持装置の前記基準本体に取付ける前記補助部に形成した取付け孔は、前記取付け枠の前記取付け孔に対向する切り欠きからなる工具孔を形成したものであるから、請求項２、請求項４、請求項６、請求項７の何れか１つに記載の効果に加えて、全体の構造がシンプル化できる。
【００２４】
請求項９の検査治具保持装置の前記取付け枠から突出させた突出部に形成した取付け孔は、前記検査治具保持装置の前記取付け孔の軸方向または前記検査治具保持装置の前記取付け孔の軸に並列する方向に複数個接続自在とするものであるから、請求項１乃至請求項８の何れか１つに記載の効果に加えて、前記検査治具保持装置を縦方向に複数個接続したものでは、前記保持部を複数段形成することができ、検査治具の装着状態が安定する。また、前記検査治具保持装置を横方向に複数個接続したものでは、検査治具の管理が連続配置することによって検査治具の存在を確認しやすくなる。
【発明を実施するための最良の形態】
【００２５】
以下、本発明の実施の形態について、図面に基づいて説明する。なお、実施の形態において、図中、同一記号及び同一符号は、同一または相当する機能部分であるから、ここでは重複する説明を省略する。
［実施の形態１］
【００２６】
図１は本発明の実施の形態１にかかる検査治具保持装置を用いた検査装置の全体の斜視図であり、図２は本発明の実施の形態１にかかる検査治具保持装置を用いた検査装置で使用する検査治具の斜視図である。図３は本発明の実施の形態１にかかる検査治具保持装置の斜視図であり、図４は図３の側面図、図５は図３の平面図、図６は図３の断面図である。
【００２７】
図１において、図示しない成型品の被検査体としては、合成樹脂または金属板で成型した車両部品、電化製品の部品等が該当する。それら被検査体の複数箇所が特定の寸法範囲内にあることを計測する基準本体１は、適当な機械的強度及び弾性を有するもので、成型品の被検査体を所定の位置に載置することにより、基準面２との誤差を測定し、金型等を修正するものである。検査治具３は成型品の被検査体の端部を止めることによって、成形品の表面形状を基準面２に一致させる位置を特定するものである。
【００２８】
検査治具３は、図２に示すように、基準本体１に設けられている基準位置決め孔に挿入される挿入部３ａ、図示しない成型品の被検査体が当接し、位置決めを行う位置決め部３ｂ、ローレット掛けして操作性をよくし、人手によって摘み挙げ操作される操作部３ｃによって全体が形成されている。なお、本発明を実施する形態として検査治具３の構成を説明するが、本発明を実施する場合には、他の構成のものとすることができる。
【００２９】
この実施の形態の検査治具保持装置５は、全体を合成樹脂材料で形成したものである。成型品の被検査体を載置し、その被検査体の複数箇所が特定の寸法範囲内にあることを計測する基準本体１に少なくとも下面が当接する補助部５１を有している。この補助部５１は、両側及び中心の長さ方向に平面を形成し、平坦面を形成している。内部に円筒孔５２を形成した取付け枠５３は、補助部５１と一体に連続して形成されている。この取付け枠５３はその外形が補助部５１と連続しており、その外形断面（シルエットライン）が略Ｕ字状となっている。
この補助部５１は、取付け枠５３の長さ方向の彎曲を防止し、かつ、円筒孔５２の形状を維持し、取付け安定性を得るものである。
【００３０】
取付け枠５３の円筒孔５２の周囲には、その円筒孔５２の中心から放射状のスリットを入れてなる複数の保持片５４ａからなる保持部５４が接合されている。本実施の形態においては、複数の保持片５４ａからなる保持部５４を円筒孔５２の中心軸の長さの中間位置（１／２）に配設しているが、本発明を実施する場合には、１／３を含む１／２乃至１／５の位置に配設するのが好適であり、取付け枠５３の端部に設けてもよい。
放射状のスリットは、直径方向に３本入れることによって６枚の保持片５４ａとしている。この保持片５４ａの枚数は、耐用性から４乃至８枚とするのが望ましい。
【００３１】
補助部５１を基準本体１に取付ける取付け孔５５は、補助部５１の中間位置の取付け枠５３に長さ方向の両側に２個形成している。また、補助部５１の取付け孔５５にボルトまたは木ネジ等を螺入するときの工具が使用できるように、取付け枠５３の取付け孔５５の対向面に工具孔５６を設けている。この工具孔５６は取付け孔５５と同様に円形のものでもよいが、本実施の形態では、開口をＵ字状とし、垂直方向及び水平方向に工具が装着できるようにしている。
また、取付け枠５３を基準本体１に取付ける取付け孔５５は、補助部５１に形成したものであるから、全体の構造がシンプル化できる。
【００３２】
このように、実施の形態１の検査治具保持装置５は、成型品の被検査体を載置し、当該被検査体の複数箇所が特定の寸法範囲内にあることを計測する基準本体１に当接する補助部５１と、補助部５１と共に一体に成型し、内部に円筒孔５２を形成した取付け枠５３と、取付け枠５３にその周囲を配設し、その中心から放射状のスリットを入れてなる６枚からなる保持片５４ａを有する保持部５４と、補助部５１を基準本体１に取付ける取付け孔５５とを具備し、全体を合成樹脂材料で形成したものである。
【００３３】
実施の形態１の検査治具保持装置５は、一体に成型し、内部に円筒孔５２を形成した取付け枠５３と、取付け枠５３にその周囲を配設し、その中心から放射状のスリットを入れてなる６枚からなる保持片５４ａを有する保持部５４と、補助部５１を基準本体１に取付ける取付け孔５５とを具備し、全体を合成樹脂材料で形成した発明の実施の形態とすることもできる。
【００３４】
この実施の形態１の検査治具保持装置５は、成型品の被検査体の基準となる基準本体１に底面側で当接する補助部５１と、補助部５１と一体に連続して成型し、内部に円筒孔５２を形成した取付け枠５３にその周囲を配設し、その中心から放射状のスリットを入れて６枚の保持片５４ａからなる保持部５４と、補助部５１を基準本体１の面に取付ける取付け孔５５とを具備し、基準本体１の上に合成樹脂、金属板等で成型した成型品の被検査体を載置し、被検査体の複数箇所が特定の寸法範囲内にあることを計測するものであり、また、この検査治具保持装置５の全体を合成樹脂で形成したものである。
【００３５】
この基準本体１に検査治具保持装置５を取付ける取付け孔５５には、ボルト、木ネジ等の螺入によって基準本体１に堅固に取付け、補助部５１は基準本体１に当接し、位置決めに使用する。また、補助部５１と一体に成型した内部に円筒孔５２を形成してなる取付け枠５３には、その取付け枠５３の内側の周囲に中心から放射状のスリットを入れた保持片５４ａからなる保持部５４を有している。
【００３６】
したがって、保持片５４ａからなる保持部５４に検査治具３をその軸方向に挿入すると、保持部５４の中心から放射状のスリットを入れてなる保持片５４ａが検査治具３の挿入によって彎曲し、その彎曲に伴って弾性係数が変化し、その弾性力によって、検査治具３を保持する。特に、保持部５４の中心から放射状に入れたスリットは、その幅が取付け孔５５に近づくに従って広くなるから弾性係数が大きくなる。それによって、保持片５４ａが検査治具３の長さ方向に少なくとも線接触、通常、面接触するものであるから、その合成樹脂の接触抵抗によって、容易に抜け難くなる。特に、検査治具保持装置５の使用によって保持部５４の弾性力が低下し、その長さ方向に検査治具３が摺動しないから、その接触抵抗で容易に落下することがない。
【００３７】
当然ながら、検査治具３の太さ、重さ（体積に比例）に応じた弾性力が付与される。このときの挿入圧は、検査治具３の太さに応じた圧力となり、格別大きな押圧力は必要ない。また、保持部５４に検査治具３が挿入離脱されても、合成樹脂で形成されているから検査治具３の表面に傷をつけることがない。
【００３８】
ところで、本実施の形態１の検査治具保持装置５では、１個独立して基準本体１に取付ける事例を説明したが、検査治具保持装置５を２個以上使用し、取付け枠５３の長さ方向に接続し、そこに１本の検査治具３を保持することもでき、検査治具３の長さに応じた対応ができる。
このとき、取付け枠５３及び補助部５１の端部に両者を結合する段差を設けて結合することもできる。また、補助部５１の中央の一部を突出させるように形成し、そこに取付け孔５５を設けてもよい。そして、別ピースを設けて接続してもよい。
また、保持部５４の円筒孔５２の中心軸の長さの位置を、１／２乃至１／５の位置に配設すると、両者間の組み合わせによって、２個の保持部５４によって安定した保持状態を維持することができる。
［実施の形態２］
【００３９】
図７は本発明の実施の形態２の検査治具保持装置の斜視図であり、図８は図７の中央横断面図、図９は図７の中央縦断面図である。
図１及び図２、図７乃至図９において、成型品の被検査体としては、合成樹脂または金属板で成型した車両部品、電化製品の部品等が該当する。それら被検査体の寸法を計測する基準本体１は、成型品の被検査体を所定の位置に載置することにより、基準面２との誤差を測定し、金型等を修正するものである。検査治具３は成型品の被検査体の所定位置を止めることによって、成形品の表面形状を基準面２に一致させる位置を特定するものである。
【００４０】
この実施の形態２の検査治具保持装置６は、全体を合成樹脂材料で形成したものである。成型品の被検査体の寸法を計測する基準本体１に少なくとも一端面が当接する補助部６１を有している。この補助部６１は取付け枠６３の立設を補助し、取付け枠６３の長さ方向の彎曲を防止し、かつ、円筒孔６２の形状を維持するものである。そのため、内部に円筒孔６２を形成した取付け枠６３の長さ方向に併設し、それらの一端または両端には、両者間を繋ぐ補強がなされている。内部に円筒孔６２を形成した取付け枠６３は、補助部６１と一体に連続して形成されている。この取付け枠６３はその外形が補助部６１と連続しており、略Ω字状となっている。
【００４１】
取付け枠６３の円筒孔６２の周囲には、その円筒孔６２の中心から放射状のスリットを入れてなる複数の保持片６４ａからなる保持部６４が接合されている。放射状のスリットは、直径方向に３本入れることによって６枚の保持片６４ａとしている。この保持片６４ａの枚数は、耐用性からすると４乃至８枚にするのが望ましい。
補助部６１を基準本体１に取付ける取付け孔６５ａ，６５ｂは、取付け枠６３の直径方向に取付け枠６３から突出させた突出部６６ａ，６６ｂの両側に各１個形成している。突出部６６ａ，６６ｂは３以上としてもよい。
【００４２】
このように、実施の形態２の検査治具保持装置６は、成型品の被検査体を載置し、当該被検査体を計測する基準本体１に対して立設可能とする補助部６１と、補助部６１と一体に成型し、内部に円筒孔６２を形成した取付け枠６３と、取付け枠６３にその周囲を配設し、その中心から放射状のスリットを入れて６枚の保持片６４ａからなる保持部６４と、取付け枠６３を基準本体１に取付ける取付け孔６５ａ，６５ｂとを具備し、全体を合成樹脂材料で形成したものである。また、取付け枠６３を基準本体１に取付ける取付け孔６５ａ，６５ｂは、取付け枠６３から突出させた突出部６６ａ，６６ｂに形成したものである。
【００４３】
この基準本体１に検査治具保持装置６を取付ける取付け孔６５ａ，６５ｂには、ボルト、木ネジ等の螺入によって基準本体１に堅固に取付け、取付け枠６３は基準本体１に当接し、位置決めに使用している。また、補助部６１と一体に成型した内部に円筒孔６２を形成してなる取付け枠６３には、その取付け枠６３の内側の周囲に中心から放射状のスリットを入れた保持片６４ａからなる保持部６４を有している。
【００４４】
したがって、保持片６４ａからなる保持部６４に検査治具３をその軸方向に挿入すると、保持部６４の中心から放射状のスリット入れてなる保持片６４ａが検査治具３の挿入によって彎曲し、その彎曲に伴う弾性力によって、検査治具３を保持する。特に、保持部６４の中心から放射状に入れたスリットは、その幅が取付け孔６５ａ，６５ｂに近づくに従って広くなるから弾性係数が変化し、保持片６４ａが検査治具３の長さ方向に少なくとも線接触、通常、面接触するものであるから、容易に抜け難くなる。そして、検査治具保持装置６の使用によって保持部６４の弾性力が低下し、その長さ方向に検査治具３が摺動し難いから、その接触抵抗で容易に落下することがない。
【００４５】
当然ながら、検査治具３には、その太さ、重さ（体積に比例）に応じた弾性力が付与される。このときの挿入圧は、検査治具３の太さに応じた圧力となり、格別大きな押圧力は必要ない。また、保持部６４に検査治具３が挿入離脱されても、合成樹脂で形成されているから検査治具３の表面に傷をつけることがない。
【００４６】
ところで、本実施の形態２の検査治具保持装置６では、１個独立して基準本体１に取付ける事例を説明したが、検査治具保持装置６を２個以上使用し、取付け枠６３の円筒孔６２の直径方向に突出部６６ａ，６６ｂが突出し、取付け孔６５ａ，６５ｂとの段部を挿入して連結接続すると、そこに２本以上の検査治具３を保持することもできる。
このとき、突出部６６ａ，６６ｂと取付け孔６５ａ，６５ｂとの結合した位置を更にボルト等で基準本体１に固着するので、突出部６６ａ，６６ｂと取付け孔６５ａ，６５ｂは、安定した取付け状態を維持できる。
［実施の形態３］
【００４７】
図１０は本発明の実施の形態３の検査治具保持装置の斜視図であり、図１１は図１０の中央横断面図、図１２は図１０の中央縦断面図である。図１３は本発明の実施の形態３の検査治具保持装置の複数積み上げた場合の斜視図である。
実施の形態２では、互いに検査治具保持装置６を連結するために突出部６６ａ及び突出部６６ｂと取付け孔６５ａ及び取付け孔６５ｂの高さ方向の位置を変えて形成しているが、突出部６６ａ及び突出部６６ｂと取付け孔６５ａ及び取付け孔６５ｂの高さ方向の位置を変えないのが実施の形態３である。
【００４８】
図１０乃至図１３において、実施の形態３の検査治具保持装置７は、突出部７６ａ及び突出部７６ｂと取付け孔７５ａ及び取付け孔７５ｂは、取付け枠７３の端面とは略同一位置に端面を形成している。即ち、突出部７６ａ及び突出部７６ｂの高さ方向の位置を変えていない。突出部７６ａ及び突出部７６ｂは、取付け枠７３の端面と同一位置に下端面を形成している。即ち、突出部７６ａ及び突出部７６ｂと取付け孔７５ａ及び取付け孔７５ｂの高さ方向の位置を変えていない。
【００４９】
しかし、正確には、取付け枠７３の突出部７６ａ及び突出部７６ｂを形成した反対側端部が、突出部７６ａ及び突出部７６ｂの内側に挿入される程度の窪み７７を設けており、検査治具保持装置７を取付け枠７３の長さ方向に積み重ねた場合、窪み７７に取付け枠７３の端部が噛み合う構造となっているので、上側の検査治具保持装置７に下側の検査治具保持装置７の取付け枠７３の上端を挿入する。
ここで、突出部７６ａ及び突出部７６ｂの取付け孔７５ａ及び取付け孔７５ｂにボルト７８を挿通させ、基準本体１にボルト７８を螺入する。
【００５０】
このように、取付け枠７３の端部に両者を結合する段差を設けて結合するものであるから、保持部７４の円筒孔７２の中心軸の長さの位置を、１／２乃至１／５の位置に配設すると、両者間の組み合わせによって、２個の保持部７４によって安定した保持状態を維持することができる。
【００５１】
ところで、本実施の形態３の検査治具保持装置７は、１個独立して基準本体１に取付けることもできるが、検査治具保持装置７を２個以上取付け枠７３の軸方向に積載し、取付け枠７３の長さ方向に接続し、そこに１本の検査治具３を保持するようにすることもできる。
このとき、取付け枠７３及び補助部７１の端部に両者を結合する段差を設けて結合することもできる。また、このとき、保持部７４の円筒孔７２の中心軸の長さの位置を、１／２乃至１／５の位置に配設すると、両者間の組み合わせによって、２個の保持部７４によって安定した保持状態を維持することができる。
【００５２】
以上説明したように、本実施の形態の検査治具保持装置は、実施の形態２の検査治具保持装置６のように、基準本体１に取付ける取付け孔６５を取付け枠６３から突出させた突出部６６ａ，６６ｂに形成したものでは、取付けの操作性を良くすることができる。
【００５３】
また、本実施の形態の検査治具保持装置は、基準本体１に取付ける取付け孔６５を、実施の形態１または実施の形態２の取付け枠６３から突出させた突出部６６ａ，６６ｂを形成することができる。この場合にも、取付けの操作性を良くすることができる。
【００５４】
そして、実施の形態１の検査治具保持装置５は、補助部５１を基準本体１に取付ける取付け孔５５を、補助部５１に形成したものであるから、全体の構造がシンプル化できる。
【００５５】
更に、実施の形態１乃至実施の形態３の検査治具保持装置５,６,７は、基準本体１に取付ける補助部５１にマグネットを固着する構造とすることができる。このとき、基準本体１の一部に金属が使用されていても、その配設が容易となる。
【００５６】
加えて、実施の形態１の検査治具保持装置５は、基準本体１に取付ける補助部５１に形成した取付け孔５５は、補助部５１の取付け孔５５に対向する切り欠きからなる工具孔５６を形成したものであるから、全体の構造がシンプル化できる。
【００５７】
また、実施の形態２及び実施の形態３の検査治具保持装置６，７は、取付け枠６３，７３から突出させた突出部６６ａ，６６ｂ，７６ａ，７６ｂに形成した取付け孔６５ａ，６５ｂ，７５ａ，７５ｂは、検査治具保持装置６，７の取付け孔６５ａ，６５ｂ，７５ａ，７５ｂの軸方向または検査治具保持装置６，７の取付け孔６５ａ，６５ｂ，７５ａ，７５ｂの軸に並列する方向に複数個接続自在とするものである。したがって、検査治具保持装置６，７を縦方向に複数個接続したものでは、保持部６４，７４を複数段形成することができ、検査治具３の装着状態が安定する。また、検査治具保持装置６，７を横方向に複数個接続したものでは、検査治具３の管理が連続配置することによって確認しやすくなる。
【図面の簡単な説明】
【００５８】
【図１】図１は本発明の実施の形態１の検査治具保持装置を用いた検査装置の全体の斜視図である。
【図２】図２は本発明の実施の形態１にかかる検査治具保持装置を用いた検査装置で使用する検査治具の斜視図である。
【図３】図３は本発明の実施の形態１にかかる検査治具保持装置の斜視図である。
【図４】図４は図３の側面図である。
【図５】図５は図３の平面図である。
【図６】図６は図３の断面図である。
【図７】図７は本発明の実施の形態２にかかる検査治具保持装置の斜視図である。
【図８】図８は図７の中央横断面図である。
【図９】図９は図７の中央縦断面図である。
【図１０】図１０は本発明の実施の形態３にかかる検査治具保持装置の斜視図である。
【図１１】図１１は図１０の中央横断面図である。
【図１２】図１２は図１０の中央縦断面図である。
【図１３】図１３は本発明の実施の形態３にかかる検査治具保持装置の複数積み上げた場合の斜視図である。
【図１４】図１４は従来の検査治具保持装置の全体の斜視図である。
【符号の説明】
【００５９】
１    基準本体
２    基準面
３    検査治具
５１，６１，７１    補助部
５２，６２，７２    円筒孔
５３，６３，７３    取付け枠
５４，６４，７４    保持部
５４ａ，６４ａ，７４ａ  保持片
５５，６５ａ，６５ｂ，７５ａ，７５ｂ    取付け孔
５６    工具孔
６６ａ，６６ｂ，７６ａ，７６ｂ    突出部
【図１】
0005085265.tif 000002
【図２】
0005085265.tif 000003
【図３】
0005085265.tif 000004
【図４】
0005085265.tif 000005
【図５】
0005085265.tif 000006
【図６】
0005085265.tif 000007
【図７】
0005085265.tif 000008
【図８】
0005085265.tif 000009
【図９】
0005085265.tif 000010
【図１０】
0005085265.tif 000011
【図１１】
0005085265.tif 000012
【図１２】
0005085265.tif 000013
【図１３】
0005085265.tif 000014
【図１４】
0005085265.tif 000015